(57)【要約】【課題】長時間の連続記録が可能な記録再生装置であって、ユーザーの視聴履歴に応じて省電力を図ることが可能な記録再生装置を提供する。【解決手段】ＨＤＤレコーダ１００は、放送波を受信するチューナ群１１、放送波を復調して録画コンテンツを生成する復調ＩＣ１２、及び録画コンテンツを記録するＨＤＤ１４を含み、一受信チャンネルを用いた受信、復調、及び録画を行うデバイス系統を複数有する録画デバイス群１０を備える。また、再生がなされた録画コンテンツの録画時における録画チャンネル及び録画時間帯を示す履歴情報であるサンプルを集計する集計部２１ｃを備える。また、サンプルの集計結果に基づいて、デバイス系統ごとの受信チャンネル決定し、各デバイス系統に含まれる録画デバイスの電源のオン／オフ制御を行う稼働制御部２１ｄを備える。【選択図】図４
2014204373.tif 000002
【特許請求の範囲】
【請求項１】
連続記録が可能な記録再生装置であって、
放送番組を受信する受信部と、
前記受信部によって受信された放送番組が記録される記録部と、
前記記録部に記録された放送番組を再生する再生部と、
前記記録部に記録された放送番組のうち前記再生部によって再生された放送番組を判定し、前記再生部によって再生された放送番組の記録情報に基づいて、前記連続記録を制御する制御部とを備える、記録再生装置。
【請求項２】
前記制御部は、前記再生部によって再生された放送番組の記録時における放送時間に基づいて前記連続記録を制御する、請求項１に記載の記録再生装置。
【請求項３】
前記受信部は、複数の放送番組を同時に受信可能である複数のチューナーを含み、
前記制御部は、前記再生部によって再生された放送番組の記録時におけるチャンネルに基づいて前記連続記録を制御する、請求項２に記載の記録再生装置。
【請求項４】
前記受信部及び前記記録部は、各々稼働優先度が設けられている複数の記録系統を含み、
前記制御部は、集計部と、稼働制御部とを含み、
前記集計部は、前記再生部によって再生された放送番組の記録時における放送時間及びチャンネルを示す履歴情報を集計し、前記履歴情報の集計結果に基づいて、集計数が所定の閾値を超える前記履歴情報を第１情報として分類し、集計数が所定の閾値を超えない前記履歴情報を第２情報として分類し、
前記稼働制御部は、前記第１情報に示されているチャンネルの数と前記稼働優先度とに基づいて、放送番組の記録時におけるチャンネルを割り当てる前記記録系統を決定する、請求項３に記載の記録再生装置。
【請求項５】
前記稼働制御部は、前記第１情報に示されている数が多いチャンネルから順に、前記稼働優先度が高い前記記録系統へ割り当てる、請求項４に記載の記録再生装置。
【請求項６】
前記稼働制御部は、所定の単位時間ごとに、前記稼働優先度及び前記第１情報に示されているチャンネルに基づいて、前記記録系統ごとの電源のオン／オフを決定する、請求項５に記載の記録再生装置。
【請求項７】
前記記録再生装置は、省電力を優先するか否かに関する省電力設定を受ける設定部を有し、
前記稼働制御部は、前記省電力設定に応じて、前記閾値を変更する、請求項４〜請求項６のいずれかに記載の記録再生装置。
【請求項８】
前記稼働制御部は、電源をオフすることを決定した前記記録系統に含まれる装置のうち、電源をオンすることを決定した前記記録系統と共用されている装置については、電源をオンするよう前記受信部及び前記記録部を制御する、請求項４〜請求項６のいずれかに記載の記録再生装置。
【発明の詳細な説明】
【技術分野】
【０００１】
本発明は、記録再生装置に関するものであり、特に消費電力の節約機能を有する記録再生装置に関する。
【背景技術】
【０００２】
近年、記録再生装置の多機能化が進んでおり、特に長時間の連続稼働を行う機能を有する記録再生装置が実用化されている。例えば複数のチューナを備え、複数のチューナを連続稼働させることにより、２４時間休むことなく録画を行う連続録画機能を備えた記録再生装置が実用化されている。
【０００３】
しかしながら、上記のような長時間の連続稼働は、消費電力の増加につながる。また連続録画では、録画された番組の全てがユーザーの嗜好に合うとは限らず、視聴されないまま放置される可能性もある。このため、消費電力に見合わず、効率が悪いという問題があった。
【０００４】
上記に関連して、初期設定時に選局対象となったチャンネル数がチューナ数よりも少ない場合に、各チューナに選局対象となるチャンネルを設定し、選局対象となるチャンネルが設定されていないチューナの動作を停止する技術が開示・提案されている（例えば特許文献１を参照）。
【先行技術文献】
【特許文献】
【０００５】
【特許文献１】特開２０１１−０５５１５４号公報
【発明の概要】
【発明が解決しようとする課題】
【０００６】
しかしながら上記文献では、初期設定時における設定結果に基づいて省電力を図る技術が開示されているだけであり、ユーザーが録画データを再生して視聴した視聴履歴に応じて省電力を図る技術については、開示も示唆もなされていない。
【０００７】
本発明は、上記の問題を解決するためになされたものであって、その目的は、長時間の連続記録が可能な記録再生装置であって、ユーザーの視聴履歴に応じて省電力を図ることが可能な記録再生装置を提供することにある。
【課題を解決するための手段】
【０００８】
上記目的を達成するために本発明の記録再生装置は、連続記録が可能な記録再生装置であって、放送番組を受信する受信部と、前記受信部によって受信された放送番組が記録される記録部と、前記記録部に記録された放送番組を再生する再生部と、前記記録部に記録された放送番組のうち前記再生部によって再生された放送番組を判定し、前記再生部によって再生された放送番組の記録情報に基づいて、前記連続記録を制御する制御部とを備える構成とする。
【０００９】
この構成によると、ユーザーの視聴履歴に応じて連続記録を制御することができるので、例えば、ユーザーが視聴する確率が高い番組は記録しつつ、視聴する確率が低い番組を記録の対象外として、省電力を図ることができる。
【００１０】
また本発明の記録再生装置は、前記制御部が、前記再生部によって再生された放送番組の記録時における放送時間に基づいて前記連続記録を制御することが望ましい。
【００１１】
この構成によると、例えば、ユーザーが視聴する確率が高い放送時間の番組は記録しつつ、視聴する確率が低い放送時間の番組を記録の対象外として、省電力を図ることができる。
【００１２】
また本発明の記録再生装置は、前記受信部が、複数の放送番組を同時に受信可能である複数のチューナーを含み、前記制御部が、前記再生部によって再生された放送番組の記録時におけるチャンネルに基づいて前記連続記録を制御することが望ましい。
【００１３】
この構成によると、例えば、ユーザーが視聴する確率が高いチャンネルの番組は記録しつつ、視聴する確率が低いチャンネルの番組を記録の対象外として、省電力を図ることができる。
【００１４】
また本発明の記録再生装置は、前記受信部及び前記記録部が、各々稼働優先度が設けられている複数の記録系統を含み、前記制御部が、集計部と、稼働制御部とを含み、前記集計部が、前記再生部によって再生された放送番組の記録時における放送時間及びチャンネルを示す履歴情報を集計し、前記履歴情報の集計結果に基づいて、集計数が所定の閾値を超える前記履歴情報を第１情報として分類し、集計数が所定の閾値を超えない前記履歴情報を第２情報として分類し、前記稼働制御部が、前記第１情報に示されているチャンネルの数と前記稼働優先度とに基づいて、放送番組の記録時におけるチャンネルを割り当てる前記記録系統を決定することが望ましい。
【００１５】
この構成によると、ユーザーが再生する確率の高い番組が多いチャンネルを割り当てる記録系統と、当該番組が少ないチャンネルを割り当てる記録系統とを分別する。これにより、例えば一装置が複数の記録系統に含まれている場合に、この複数の記録系統の全てに当該番組が少ないチャンネルのみを割り当てることにより、この装置の電源をオフできる確率を向上させることができる。
【００１６】
また本発明の記録再生装置は、前記稼働制御部が、前記第１情報に示されている数が多いチャンネルから順に、前記稼働優先度が高い前記記録系統へ割り当てることが望ましい。
【００１７】
この構成によると、ユーザーが再生する確率の低い番組が多いチャンネルを担当する記録系統を優先して、電源オフすることができる。
【００１８】
また本発明の記録再生装置は、前記稼働制御部が、所定の単位時間ごとに、前記稼働優先度及び前記第１情報に示されているチャンネルに基づいて、前記記録系統ごとの電源のオン／オフを決定することが望ましい。
【００１９】
この構成によると、所定の時間帯ごとに、記録系統ごとの電源のオン／オフを変更することが可能である。
【００２０】
また本発明の記録再生装置は、省電力を優先するか否かに関する省電力設定を受ける設定部を有し、前記稼働制御部は、前記省電力設定に応じて、前記閾値を変更することが望ましい。
【００２１】
この構成によると、ユーザーが省電力を優先するか否かを選択することができるため、ユーザーのニーズに応じた省電力を行うことができる。
【００２２】
また本発明の記録再生装置は、前記稼働制御部が、電源をオフすることを決定した前記記録系統に含まれる装置のうち、電源をオンすることを決定した前記記録系統と共用されている装置については、電源をオンするよう前記受信部及び前記記録部を制御することが望ましい。
【００２３】
この構成によると、一装置が複数の記録系統で共用されている場合に、録画に必要な装置の電源がオフされるのを回避することができる。
【発明の効果】
【００２４】
本発明によれば、ユーザーの視聴履歴に応じて連続記録を制御することができるので、例えば、ユーザーが視聴する確率が高い番組は記録しつつ、視聴する確率が低い番組を記録の対象外として、省電力を図ることができる。
【図面の簡単な説明】
【００２５】
【図１】本発明の一実施形態に係る記録再生装置の内部構成を示すブロック図である。
【図２】本発明の一実施形態に係る機能部の構成を示すブロック図である。
【図３】本発明の一実施形態に係るサンプリング処理を示すフロー図である。
【図４】本発明の一実施形態に係る稼働制御処理を示すフロー図である。
【図５】本発明の一実施形態に係るデバイス系統を示す模式図である。
【図６】本発明の一実施形態に係る視聴頻度のサンプリング結果を示す模式図である。
【図７】本発明の一実施形態に係る視聴頻度のサンプリング結果を示す模式図である。
【図８】本発明の一実施形態に係る視聴頻度のサンプリング結果を示す模式図である。
【図９】本発明の一実施形態に係る電源停止デバイスを示す模式図である。
【図１０】本発明の一実施形態に係る電源停止デバイスを示す模式図である。
【発明を実施するための形態】
【００２６】
以下に本発明の実施形態を、図面を参照しながら説明する。なお、ここで示す実施形態は一例であり、本発明はここに示す実施形態に限定されるものではない。
【００２７】
〈１．内部構成について〉
図１は、本発明の一実施形態に係るＨＤＤレコーダ１００（＝記録再生装置の一例）の内部構成を示すブロック図である。図１のブロック図に示すように、本発明のＨＤＤレコーダ１００は、外部接続される装置としてアンテナ１を備えている。
【００２８】
ＨＤＤレコーダ１００は少なくとも、録画デバイス群１０を構成する第１チューナ群１１ａ（＝受信部の一例）、第２チューナ群１１ｂ、第１復調ＩＣ１２ａ、第２復調ＩＣ１２ｂ、第３復調ＩＣ１２ｃ、第１トランスコーダ１３ａ、第２トランスコーダ１３ｂ、第１ＨＤＤ１４ａ（＝記録部の一例）、及び第２ＨＤＤ１４ｂを含む。また、ＣＰＵ２１（＝再生部及び制御部の一例）、操作入力部２２、ＲＡＭ２３、ＲＯＭ２４、通信部２５、及び出力部２６を備えている。
【００２９】
録画デバイス群１０は、アンテナ１から地上デジタルＴＶ放送信号を受信し、復調を行ってオーディオデータやビデオデータを取得して記録する。録画デバイス群１０は、複数のチューナや複数の復調ＩＣを含み、これによって複数のチャンネルを連続録画するのに用いられる。
【００３０】
なお、本実施形態の録画デバイス群１０は、連続録画のみに用いられる専用の録画デバイス群であり、通常のユーザー手動による録画処理やＥＰＧを用いた予約録画処理等については、図示しない別の録画デバイス群により実施されるものとする。
【００３１】
第１チューナ群１１ａ及び第２チューナ群１１ｂ（以下、これらをまとめて「チューナ群１１」という）は、図示しないチューナを複数備える。チューナは、アンテナ１から地上デジタルＴＶ放送信号を受信し、所望の物理チャンネルでの選局を行う。なお、チューナ群１１に含まれるチューナは、単体では電源のオン／オフを行うことができず、チューナ群１１単位でのみ電源のオン／オフが可能な構成となっている。
【００３２】
本実施形態では、一つのチューナ群１１が三つのチューナを有する構成とする。このため、二つのチューナ群１１を同時に稼働させることにより、最大で６チャンネルを並行して連続録画することが可能である。なお、各チューナが受信を担当するチャンネルは、後述する視聴頻度判定処理によって決定される。
【００３３】
第１復調ＩＣ１２ａ、第２復調ＩＣ１２ｂ、及び第３復調ＩＣ１２ｃ（以下、これらをまとめて「復調ＩＣ１２」という）は、チューナから入力される、選局された信号を復調及びエラー訂正し、ＴＳ（＝Transport Stream）を出力する。
【００３４】
第１トランスコーダ１３ａ及び第２トランスコーダ１３ｂ（以下、これらをまとめて「トランスコーダ１３」という）は、復調ＩＣ１２により復調されたＴＳが入力され、ＴＳに対して所定の変換処理を施すことにより、データサイズを変更する。
【００３５】
トランスコーダ１３は例えば、デコード形式を変更することなく動画データの解像度を下げたり、フレーム間予測情報が少ない演算方法により不可逆圧縮したりすることにより、データサイズを縮小する。
【００３６】
第１ＨＤＤ１４ａ及び第２ＨＤＤ１４ｂ（以下、これらをまとめて「ＨＤＤ１４」という）は、デジタルデータを記録する磁気記録媒体である。ＨＤＤ１４は、複数の磁気ディスクを回転させつつ、アクチュエータによりヘッドを移動させることにより、データの記録や読み出しを行う。本実施形態では、復調ＩＣ１２により生成されたＴＳ、またはトランスコーダ１３によりデータサイズが縮小されたデジタルデータを記録するのに用いられる。
【００３７】
ＣＰＵ２１は、各種演算、処理、制御を行う演算処理装置である。ＣＰＵ２１は、ＨＤＤレコーダ１００の各部材の駆動を有機的に制御して、放送受信処理や後述する視聴頻度判定処理、稼働制御処理等を統括制御する。なお、ＣＰＵ２１により実現される各機能の詳細については後述する。
【００３８】
操作入力部２２は、不図示のリモコン、及びリモコン受光部を含む。リモコンには、ＨＤＤレコーダ１００に対して選局指示等を行うための、プッシュボタンやタッチセンサ等が含まれている。また操作入力部２２は、ＨＤＤレコーダ１００のハウジングに設けられたハードキーやタッチパネル等を含む。操作入力部２２は、上記装置のいずれかにより受け付けたユーザー操作に基づく操作信号を生成し、出力する。なお操作入力部２２は、必ずしも上記装置の全てを含む必要はなく、上記装置の一部のみを含む形態でもよい。
【００３９】
ＲＡＭ２３は、ＣＰＵ２１のワークメモリ等に用いられる。ＲＯＭ２４は、ＣＰＵ２１が実行する制御プログラム等を格納する。
【００４０】
通信部２５は、例えば、ＩＥＥＥ８０２．３規格に準拠したネットワーク接続端子や無線ＬＡＮボード等の通信インタフェースを含む。通信部２５はこれらの通信インタフェースを用いて、ＨＤＤレコーダ１００と外部の装置、例えば不図示のパソコンやタブレット等を接続し、デジタル信号の入出力を行う。これにより、例えばＤＬＮＡ機能による画像／音声の配信や、タブレットを用いたＨＤＤレコーダ１００の遠隔操作等が可能となる。
【００４１】
出力部２６は、スピーカ等の音声装置を接続して音声信号を出力するための音声出力端子や、液晶パネル等の表示装置を接続して画像信号を出力するための画像出力端子等を含む。
【００４２】
以上に説明した装置のうち、録画処理に関連する装置の記録系統（以下、「デバイス系統」という）について、図５を用いて説明する。図５は、デバイス系統の一例を示す模式図である。図５では、破線で示した部分が１デバイス系統を示しており、六つのデバイス系統が存在している。
【００４３】
図５に示すように、一装置であっても、複数のデバイス系統に含まれる場合がある。例えば第１チューナ群１１ａは、デバイス系統１からデバイス系統３の、３系統に含まれる。また第１復調ＩＣ１２ａは、デバイス系統１からデバイス系統２の、２系統に含まれる。
【００４４】
各デバイス系統には、連続録画を行うチャンネルが割り振られる。従って、録画チャンネル（＝受信チャンネル）が異なっても、例えばＣＨ１とＣＨ２のように、連続録画に使用されるデバイスが共通である場合がある。なお、各デバイス系統に対する録画チャンネルの割り当ては、後述する稼働制御処理によって決定される。
【００４５】
〈２．機能部の構成について〉
ここで、本発明の一実施形態に係る視聴頻度判定処理及び稼働制御処理を実施するための各機能部の関係を、図２の機能ブロック図を用いながら説明する。なお図２においてＣＰＵ２１の内部に図示されている機能ブロックは、ＣＰＵ２１が所定のプログラムを実行することにより実現される機能部を表している。
【００４６】
図２における破線矢印線は、制御信号の流れを示している。図２に示すように、本実施形態の視聴頻度判定処理及び稼働時間算出処理は、録画処理部２１ａ、設定部２１ｂ、集計部２１ｃ、及び稼働制御部２１ｄにより実施される。
【００４７】
録画処理部２１ａは、録画デバイス群１０を用いて、所定チャンネルを２４時間連続して録画する処理（以下、「連続録画」という）を行う。録画処理部２１ａは、チューナ群１１に対する選局制御や、トランスコーダ１３に対する変換制御等を行い、ＨＤＤ１４に対して常に録画データを記録することにより、連続録画を行う。
【００４８】
設定部２１ｂは、操作入力部２２から、連続録画に関する各種設定を受け付ける。設定部２１ｂが受け付ける設定項目としては、例えば以下のものがあげられる。
・連続録画を実施するチャンネルの指定。
・連続録画において、省電力機能を使用するか否かの指定。
・連続録画において省電力機能を使用する場合に、省電力を優先するか、録画を優先するかの指定。
【００４９】
設定部２１ｂが受け付けた各種設定の内容は、所定の記録媒体（例えばＲＡＭ２３）に記録され、各機能部により参照される。
【００５０】
集計部２１ｃは、上述した録画処理部２１ａにより連続録画された再生情報（以下、「録画コンテンツ」という）をユーザーが視聴した回数を集計する。より具体的には、ある録画コンテンツが再生された場合に、当該録画コンテンツの録画時の録画時間帯及び録画チャンネルを調べ、これを示す履歴情報（以下、「サンプル」という）を記録する。
【００５１】
また集計部２１ｃは、所定期間において記録されたサンプルを集計する。そして図６に示す視聴頻度テーブルにより、録画時間帯及び録画チャンネルを単位として、視聴頻度を「高」、「低」、「無」のいずれかに分類する。
【００５２】
なお図６では、横方向が時間を示しており、一日を０時台から２３時台の２４の時間帯に分割している。これにより、ユーザーが所望する番組が放送されている可能性が高い録画時間帯及び録画チャンネルを判別する、視聴頻度判定処理を行う。なお、視聴頻度判定処理の詳細については後述する。
【００５３】
稼働制御部２１ｄは、集計部２１ｃの集計結果に基づき、録画デバイス群１０に含まれる各デバイスの電源のオン／オフ制御（以下、「稼働制御処理」という）を行う。なお、稼働制御処理の詳細については後述する。
【００５４】
〈３．視聴頻度判定処理について〉
ここで、本発明の一実施形態に係るＨＤＤレコーダ１００が実施する、視聴頻度判定処理について、図３のフロー図を用いながら説明する。
【００５５】
本実施形態の処理フローは、ＨＤＤレコーダ１００の電源が起動された時点で開始される。本処理の開始後、集計部２１ｃはステップＳ１１０において、ユーザーによる録画コンテンツの視聴状況を監視する。つまり、連続録画によってＨＤＤ１４に記録されている録画コンテンツが再生されたか否かの監視を行う。なお、連続録画以外でＨＤＤ１４に記録されたコンテンツの再生については、監視対処外とする。
【００５６】
再生が検知された場合、集計部２１ｃはステップＳ１２０において、再生された録画コンテンツの録画時間帯及び録画チャンネルを示すサンプルを生成して記録する。
【００５７】
次に集計部２１ｃは、ステップＳ１３０において、所定の条件に基づいて、サンプル収集が完了したか否かを判定する。なお本実施形態では、一ヶ月分のサンプルが収集された時点で、サンプル収集が完了したと判定する。完了していない場合、再びステップＳ１１０へ移行する。
【００５８】
サンプル収集が完了した場合、サンプルの集計（以下、「サンプリング」という）を行う。図６〜図８は、このサンプリングを行うための視聴頻度テーブルの一例を示した模式図である。
【００５９】
視聴頻度テーブルは、録画チャンネルが割り振られるデバイス系統ごとに、所定の単位時間（本実施形態では１時間）で時間帯が区切られている。図６に示す例では、６列のデバイス系統と、２４行の単位時間とにより、６×２４＝１４４のマスが視聴頻度テーブルに含まれている。
【００６０】
例えばあるサンプルが示す録画チャンネルがＣＨ２であり、録画時間帯が１４時から１５時である場合、２行１３列のマスと２行１４列のマスに、フラグが１立てられる。なお、フラグは累積して記録される。
【００６１】
集計部２１ｃは、各マスに何個のフラグが立てられたかを計算するそしてこのフラグの数に応じて、各マスの視聴頻度を「高」、「低」、「無」等の複数にランク分ける評価を実施する。これにより、ユーザーの視聴パターンの学習を行う。
【００６２】
例えば、「高」と「低」とを区別するための閾値を５とし、５以上のフラグが立っている場合は「高」、５未満のフラグが立っている場合は「低」として区分する。なお閾値の値は、設計事項等に応じて適宜変更が可能である。
【００６３】
なお図６における「全録ＣＨ設定無し」とは、録画チャンネルが割り当てられていないデバイス系統、または録画チャンネルは割り当てられているが連続録画の対象とされていない録画チャンネルのデバイス系統を示す。
【００６４】
次に集計部２１ｃはステップＳ１４０において、上記で実施したサンプリング結果が反映された視聴頻度テーブルを、所定の記録媒体（例えばＲＡＭ２３）に記録する。
【００６５】
次に設定部２１ｂはステップＳ１５０において、ＯＳＤ等により表示される設定メニューにおいて、省電力に関する設定項目に、連続録画時における省電力機能の設定項目を追加表示する。これは、初期状態の設定メニューでは、上述したユーザーの視聴パターンの蓄積が無いため、当該省電力機能を実行することができないためである。なお、当該省電力機能を実行できない場合は、当該設定項目をグレーアウトさせる等により、選択不可にする形態でもよい。
【００６６】
〈４．稼働制御処理について〉
ここで、本発明の一実施形態に係るＨＤＤレコーダ１００が実施する、稼働制御処理について、図４のフロー図を用いながら説明する。
【００６７】
本実施形態の処理フローは、操作入力部２２が受け付けたユーザー操作に基づいて設定メニューが表示され、且つ連続録画時における省電力機能の設定項目が選択可能となっている場合に開始される。
【００６８】
本処理の開始後、設定部２１ｂはステップＳ２１０において、連続録画時における省電力機能に関する選択項目を表示し、操作入力部２２による選択を待ち受ける。なお本実施形態では、選択項目として「省電力優先」と「録画優先」との二つを用いるものとのする。
【００６９】
次に設定部２１ｂはステップＳ２２０において、「省電力優先」と「録画優先」とのどちらが選択されたかに応じて、処理の分岐を行う。なお、所定時間を経過しても選択が検知されなかった場合、本処理を終了することが望ましい。
【００７０】
「省電力優先」が選択された場合、設定部２１ｂはステップＳ２３０において、省電力優先であることを示す情報を所定の記録媒体に記録する。一方、「録画優先」が選択された場合、設定部２１ｂはステップＳ２３１において、録画優先であることを示す情報を所定の記録媒体に記録する。
【００７１】
次に稼働制御部２１ｄはステップＳ２４０において、視聴頻度テーブルを用いて、各デバイス系統に対する録画チャンネルの割り当てを変更する。本実施形態では、視聴頻度が「高」であるマス（＝第１情報の一例）の数を録画チャンネルごとに算出し、「高」マスの数が多い録画チャンネルから順に、デバイス系統１、デバイス系統２、と昇順に割り振っていく。これにより、視聴頻度テーブルが図６の状態であった場合、図７に示す状態に変更される。
【００７２】
なお、「高」マスの数が同じチャンネルについては、「低」マスの数が多いチャンネルを、より上位のデバイス系統に割り振る。図７の例では、最も「高」マスの多いＣＨ５が、最も上位のデバイス系統であるデバイス系統１に割り振られている。一方、連続録画設定がなされていないＣＨ６が、最も下位のデバイス系統であるデバイス系統６に割り振られている。
【００７３】
このように、デバイス系統に対するチャンネル割り当てを変更することにより、視聴頻度の高い録画チャンネルが使用する録画デバイスと、視聴頻度が低いもしくは無い録画チャンネルが使用する録画デバイスとを、区別する。
【００７４】
次に集計部２１ｃはステップＳ２５０において、録画デバイス群１０に含まれる各デバイスをオン／オフを、単位時間（本実施形態では１時間）ごとに決定する。ここでは一例として、図８に示すように、太線四角で囲まれた「１７時」の時間帯において、オン／オフ判定を行う場合を説明する。
【００７５】
ステップＳ２３０により省電力優先であることが記録されている場合、視聴頻度が「低」、「無」、「全録ＣＨ設定無し」のマス（＝第２情報の一例）に対応するデバイス系統を、電源オフの対象とする。「１７時」の時間帯においては、デバイス系統４からデバイス系統６がこれに該当する。このため、省電力優先であれば、デバイス系統４からデバイス系統６が、１７時台において電源オフの対象となる。
【００７６】
ただし、電源オフの対象となったデバイス系統に含まれる録画デバイスのうち、電源オンのデバイス系統と共用している録画デバイスは、電源オフしない。図９に示すように、第２復調ＩＣ１２ｂがデバイス系統３（オン）とデバイス系統４（オフ）とで共用されているため、第２復調ＩＣ１２ｂはオフされない。同様に、ＣＰＵ２１もオフされない。
【００７７】
一方、ステップＳ２３１により録画優先であることが記録されている場合、視聴頻度が「無」、「全録ＣＨ設定無し」のマスに対応するデバイス系統を、電源オフの対象とする。「１７時」の時間帯においては、デバイス系統５及びデバイス系統６がこれに該当する。このため、録画優先であれば、デバイス系統５及びデバイス系統６が、１７時台において電源オフの対象となる。
【００７８】
ただし、図１０に示すように、第３復調ＩＣ１２ｃ、第２トランスコーダ１３ｂ、ＣＰＵ２１、及び第２ＨＤＤ１４ｂがデバイス系統４（オン）と共用されているため、これらの録画デバイスはオフされない。
【００７９】
次に稼働制御部２１ｄはステップＳ２６０において、上記判定の結果、当該時間帯においてオフできる録画デバイスが存在するか否かを判定する。存在する場合、ステップＳ２７０において、該当する録画デバイスを当該時間帯においてオフするよう、設定する。以降、この時間帯が到来するごとに稼働制御部２１ｄは、該当する録画デバイスの電源をオフするよう、録画デバイス群１０を制御する。
【００８０】
一方、オフできる録画デバイスが存在しない場合、ステップＳ２７１において、当該時間帯において全ての録画デバイスをオンするよう、設定する。以降、この時間帯が到来するごとに、稼働制御部２１ｄは全ての録画デバイスの電源をオンするよう、録画デバイス群１０を制御する。
【００８１】
次に稼働制御部２１ｄはステップＳ２８０において、全ての時間帯（図８の例では０時台から２３時台の２４の時間帯）に対して、録画デバイスのオン／オフの設定が完了したか否かを判定する。完了している場合、本処理を終了する。完了していない場合、再びステップＳ２５０へ移行し、未判定の時間帯について、録画デバイスのオン／オフの決定を行う。
【００８２】
以上に説明した本実施形態によれば、ＨＤＤレコーダ１００は、放送波を受信するチューナ群１１、放送波を復調して録画コンテンツを生成する復調ＩＣ１２、及び録画コンテンツを記録するＨＤＤ１４を含み、一受信チャンネルを用いた受信、復調、及び録画を行うデバイス系統を複数有する録画デバイス群１０を備える。また、再生がなされた録画コンテンツの録画時における録画チャンネル及び録画時間帯を示すサンプルを集計する集計部２１ｃを備える。また、サンプルの集計結果に基づいて、デバイス系統ごとの録画チャンネル決定し、各デバイス系統に含まれる録画デバイスの電源のオン／オフ制御を行う稼働制御部２１ｄを備える。
【００８３】
集計部２１ｃは、サンプルの集計結果に基づいて、視聴頻度テーブルにおいて集計数が所定の閾値を超えるマスと超えないマスとを判別する。稼働制御部２１ｄは、この判別結果に基づいて、各デバイス系統に割り振る録画チャンネルを決定する。なお稼働制御部２１ｄは、サンプリングの結果に基づいて、サンプルの数が多い録画チャンネルから順に、稼働優先度が高いデバイス系統へ割り当てる。そして所定の単位時間ごとに、稼働優先度及びサンプリング結果に応じて、各デバイス系統に含まれる録画デバイスの電源のオン／オフを決定する。
【００８４】
以上に説明した構成により、ユーザーの嗜好に合う番組が放送されていると推定される時間帯及びチャンネルは録画を実施する。一方、当該番組が放送されている確率が低いと推定される時間帯及びチャンネルでは、連続録画を停止し、電源をオフできる録画デバイスを判別して電源をオフする。これにより、ユーザーの利便性を損なうことなく、省電力を図ることができる。
【００８５】
また本実施形態によれば、ＨＤＤレコーダ１００は、省電力を優先するか否かに関する省電力設定を受ける設定部２１ｂを備える。稼働制御部２１ｄは、この省電力設定に応じて、電源をオンする録画デバイスと電源をオフする録画デバイスとを区別する際の判定基準を変更する。
【００８６】
以上に説明した構成により、ユーザーは「省電力優先」、「録画優先」等の優先設定を行うことができる。このため、よりユーザーのニーズに応じた省電力を行うことができる。
【００８７】
［その他の実施の形態］
以上、好ましい実施の形態及び実施例をあげて本発明を説明したが、本発明は必ずしも上記実施の形態に限定されるものではなく、その技術的思想の範囲内において様々に変形して実施することができる。
【００８８】
従って本発明は、以下の形態にも適用可能である。
【００８９】
（Ａ）上記実施形態では、各録画チャンネルで連続録画を行うか否かを決定した後、この決定結果をユーザーに通知する機能については言及していないが、ＥＰＧ等を用いてこれを通知する形態でもよい。例えば、連続録画をしないチャンネル及び時間帯を、ＥＰＧにおいてグレーアウトする等の方法により、連続録画が行われないチャンネル及び時間帯を通知する構成でもよい。
【００９０】
（Ｂ）上記実施形態では、録画デバイス群１０に含まれる装置としてチューナ群１１〜ＨＤＤ１４を例示しているが、録画デバイス群１０がこれ以外の装置を備え、当該装置を対象として本発明の稼働制御処理を実施する形態でもよい。例えば、デバイス群１０が外付けＨＤＤを接続するためのＵＳＢ端子を有し、外付けＨＤＤに所定チャンネルの録画データを記録する形態において、外付けＨＤＤが使用されない時間帯はＵＳＢ端子に対する電源供給をオフする形態でもよい。
【００９１】
（Ｃ）上記実施形態では、本発明の記録再生装置の一例としてＨＤＤレコーダ１００を例示しているが、これ以外の記録再生装置に本発明を適用する形態でもよい。例えば、ＨＤＤに加えて、複数のＢＤメディアや半導体メモリを用いて連続録画を行う複合機に、本発明を適用する形態でもよい。
【００９２】
（Ｄ）上記実施形態では、本発明の視聴頻度判定処理及び稼働制御処理に関わる各機能部が、マイクロプロセッサ等の演算処理装置上で所定のプログラムを実行することにより実現されているが、各種機能部が複数の回路により実現される形態でもよい。
【００９３】
（Ｅ）上記実施形態では、デバイス系統１を最も優先して稼働させ、デバイス系統６を最も優先して稼働停止させているが、稼働を優先させるデバイス系統と稼働停止を優先させるデバイス系統とを定期的にローテーションする形態でもよい。これにより、デバイス系統ごとの劣化度を平滑化し、録画デバイス群１０の長寿命化を図ることができる。
【００９４】
（Ｆ）上記実施形態では、録画コンテンツの再生が検知されるたびにサンプルを記録し、所定期間（一ヶ月）が経過した時点でサンプル収集を完了しているが、サンプルの収集方法はこれに限定されるものではない。例えば、一度サンプリングが完了した後もサンプル収集を継続して行い、所定のタイミング、例えば本発明の省電力機能が一旦オフされた後に再度オンされたタイミングで、サンプリング及び視聴頻度テーブルの更新を行う形態でもよい。
【００９５】
（Ｇ）上記に関連して、連続録画された録画コンテンツが再生されるたびに、再生指示が検知された日時と当該録画コンテンツの管理情報とを関連付けた再生履歴を記録し続け、所定のタイミング（例えば月末）において過去一ヶ月の再生履歴を遡って参照することにより、サンプル収集、サンプリング、及び視聴頻度テーブルの更新を行う形態でもよい。
【符号の説明】
【００９６】
１００    ＨＤＤレコーダ（記録再生装置）
１０    録画デバイス群
１１ａ    第１チューナ群（受信部）
１１ｂ    第２チューナ群（受信部）
１２ａ    第１復調ＩＣ
１２ｂ    第２復調ＩＣ
１２ｃ    第３復調ＩＣ
１３ａ    第１トランスコーダ
１３ｂ    第２トランスコーダ
１４ａ    第１ＨＤＤ（記録部）
１４ｂ    第２ＨＤＤ（記録部）
２１    ＣＰＵ（再生部、制御部）
２１ａ    録画処理部
２１ｂ    設定部
２１ｃ    集計部
２１ｄ    稼働制御部
２３      ＲＡＭ
２４      ＲＯＭ
２５      通信部
２６      出力部
【図１】
2014204373.tif 000003
【図２】
2014204373.tif 000004
【図３】
2014204373.tif 000005
【図４】
2014204373.tif 000006
【図５】
2014204373.tif 000007
【図６】
2014204373.tif 000008
【図７】
2014204373.tif 000009
【図８】
2014204373.tif 000010
【図９】
2014204373.tif 000011
【図１０】
2014204373.tif 000012